(57)【要約】      （修正有）【課題】ハトメを利用することで糸と珠との摩擦を軽減した装身具を提供する。【解決手段】装身具用珠１０は、孔の開いた複数の珠が糸で繋がれてリング状となっている装身具に用いられる。珠１０の貫通孔１１の端部にハトメ１５が挿入されている。珠１０の貫通孔１１に通された糸２０は、珠１０の孔１１の内面ではなくハトメ１５に接触する。ハトメ１５を、滑らかで滑りやすい材料、あるいは、硬度の低い材料で作製すれば、ハトメ１５と糸２０との摩擦の大きさが珠１０と糸２０との摩擦よりも小さくなり、糸２０の劣化による切断を軽減できる。【選択図】図１
0003170600.tif 000002
【実用新案登録請求の範囲】
【請求項１】
孔の開いた複数の珠が糸で繋がれてリング状となっている装身具に用いる珠であって、
前記孔の端部にハトメが挿入されていることを特徴とする装身具用珠。
【請求項２】
前記ハトメが、金メッキされた金属製であることを特徴とする請求項１に記載の装身具用珠。
【考案の詳細な説明】
【技術分野】
【０００１】
本考案は、ブレスレットやネックレスなどの、装身具に使用される珠に関する。
【背景技術】
【０００２】
ブレスレットやネックレスなどの装身具には、貫通孔の開いた複数の珠を、孔に糸を通してリング状としたものがある。珠は、例えば、天然石やセラミックス、金属などで作製される。また、糸としては、例えば、ポリエステルやステンレス、ゴム等が使用される。
【０００３】
このような装身具においては、長時間使用すると、糸が、珠の貫通孔の内面や縁と摩擦して、糸が切れてしまうことがある。また、糸が金属製の場合は、摩擦により糸が削られて、その屑により貫通孔の周囲の部分が黒く汚れてしまうという問題もあった。
【０００４】
このような珠の貫通孔周囲の汚れを防止する方法として、糸（線材）に貴金属メッキを施す方法が提案されている（例えば、特許文献１参照）。貴金属メッキにより、糸の摩耗が軽減され、汚れが防がれるとされている。
【先行技術文献】
【特許文献】
【０００５】
【特許文献１】特開２００７−３１３１０７号公報
【考案の概要】
【考案が解決しようとする課題】
【０００６】
本考案は上記の先行技術と同様に、糸と珠との摩擦を軽減した装身具を提供することを目的とする。
【課題を解決するための手段】
【０００７】
本考案の装身具用珠は、  孔の開いた複数の珠が糸で繋がれてリング状となっている装身具に用いる珠であって、  前記孔の端部にハトメが挿入されていることを特徴とする。
【０００８】
本考案によれば、珠の孔に通された糸は、珠の孔の内面ではなくハトメに接触する。このハトメを、滑らかで滑りやすい材料、あるいは、硬度の低い材料で作製すれば、ハトメと糸との摩擦の大きさが、珠と糸との摩擦よりも小さくなり、糸の劣化による切断を軽減できる。この効果は、特に、珠の硬度が比較的高いものに適用した場合に、顕著に発揮される。
【０００９】
糸材質は、ポリエステル等の樹脂、ステンレスや形状記憶合金等の金属、ゴム等を挙げることができる。また、珠の材質は、石、貴石、宝石、水晶、セラミックス、金属、真珠、貝、ゲルマニウムなどが挙げられる。また、珠の形状は、球体の他に、楕球体や多角体などでもよい。
さらに、装身具は、ブレスレットやネックレスの他に、数珠やヘアーバンドも含まれる。
【００１０】
本考案においては、  前記ハトメが、金メッキされた金属製であることが好ましい。
ハトメに金メッキを施すことにより、抗菌性が与えられるとともに、汗などの酸性成分による腐食を防止することができる。
【考案の効果】
【００１１】
以上の説明から明らかなように、本考案によれば、珠の孔に通された糸は、珠の孔の内面ではなくハトメに接触する。そして、糸が接触するハトメを硬度の低い材料で作製すれば、ハトメと糸との摩擦が軽減され、糸の劣化による切断を軽減できる。したがって、耐久性の高い装身具を提供できる。
【図面の簡単な説明】
【００１２】
【図１】本考案の装身具に使用される珠の構造を示す断面図である。
【図２】本考案の装身具の全体の構造を示す斜視図である。
【考案を実施するための最良の形態】
【００１３】
以下、本考案の実施の形態について、図面を参照しながら詳細に説明する。
まず、図２を参照して、本発明の装身具（ブレスレット）の全体の構成を説明する。
このブレスレット１は、貫通孔の開いた複数の珠１０と、珠１０の貫通孔に通されてリング状に連結される糸２０とを有する。
【００１４】
糸２０は、ポリエステル等の樹脂、ステンレスや形状記憶合金等の金属、ゴム等で作製される。ブレスレットの場合、糸２０の径は、一例で０．５〜２ｍｍである。
【００１５】
図１を参照して珠１０を説明する。
珠１０は、この例では球体であり、中心に貫通孔１１が開けられている。珠１０の材質としては、石、貴石、宝石、水晶、セラミックス、金属、真珠、貝、ゲルマニウムなどが挙げられる。また、珠１０の形状は、球体の他に、楕球体や多角体などでもよい。さらには、異なる寸法、異なる形状の複数の珠を用いることもできる。さらに、貫通孔１１は、珠１０の中心に形成されていなくてもよい。
ブレスレットの場合、珠１０の径は、一例で５〜１５ｍｍであり、貫通孔１１の径は、一例で１〜２ｍｍである。
【００１６】
貫通孔１１の両端には、ハトメ１５が挿入されている。ハトメ１５は、円筒状の本体部１５ａと、本体部１５ａの一方の開口から外に張り出すフランジ部１５ｂとを有する。
【００１７】
ハトメ１５は、例えば、表面硬度の低い銅、黄銅、アルミなどで作製される。表面硬度の低い材料を使用することにより、珠１０の貫通孔１１の内面や縁との摩擦を少なくすることができる。
さらに、ハトメ１５は、金メッキされていることが好ましい。金メッキを施すことにより、抗菌性が与えられるとともに、汗などの酸性成分による腐食を防止することができる。
【００１８】
ハトメ１５は、本体部１５ａが珠１０の貫通孔１１の開口から挿入されて、フランジ部１５ｂが貫通孔１１の周囲の珠１１の表面に当接する。ハトメ１５と珠１０とは、アクリル系やウレタン系の接着剤で固定される。
【００１９】
このような構造により、珠１０の貫通孔１１に通された糸２０は、ハトメ１５の本体部１５ａの内面あるいは、フランジ部１５ｂの内縁に接触する。図１に示すように、ハトメ１５は貫通孔１１の両端から挿入されており、貫通孔１１の中心付近では、珠１０の内面が露出した状態である。しかし、糸２０はある程度の張力をもっているため、貫通孔１１の中心付近で糸２０が撓んで珠１０に直接接触することは少ない。そして、糸２０は、ハトメ１５と接触するが、ハトメ１５は硬度の低い材料で作製されているため、ハトメ１５と糸２０との摩擦力は小さく、糸２０の劣化を軽減できる。
【００２０】
この効果は、特に、珠の硬度が比較的高いものに適用した場合に、顕著に発揮される。珠の硬度が高いと、糸と珠との摩擦が大きくなって糸が摩耗しやすくなる。そこで、ハトメを使用することにより、硬度が高い珠を使用しても、糸の切断を防ぐことができる。
【００２１】
装身具は、ブレスレットやネックレスの他に、数珠やヘアーバンドも含まれる。
【符号の説明】
【００２２】
１  ブレスレット
１０  珠                          １１  貫通孔
１５  ハトメ                      ２０  糸
【図１】
0003170600.tif 000003
【図２】
0003170600.tif 000004